(57)【要約】【課題】採血補助器具の換針カートリッジの交換作業時に、針先が作業者の身体に不用意に接触することのない構成を提供して、感染を防止する。【解決手段】換針カートリッジを着脱可能に受け入れるカートリッジホルダをケース状本体１０内に設け、このカートリッジホルダへのアクセスを許容する開閉ドア１１をケース状本体の表面に設ける。カートリッジホルダは、カートリッジのキャップを保持してケース状本体１０内でスライド可能なキャップホルダ部５０と、カートリッジの本体を保持してケース状本体内でスライド可能な穿孔針ホルダ部６０と、を備えていて、両ホルダ部は、開閉ドア近傍のアクセス位置において互いに隣接することで、キャップの付いた換針カートリッジの授受を可能する。換針カートリッジは、キャップが付いた状態においてのみ、開閉ドア１１を通して、採血補助器具内に装着したり、取り外したりできる。【選択図】　図４
2004141389.tif 000002
【特許請求の範囲】
【請求項１】
換針カートリッジ（１）を着脱可能に受け入れるカートリッジホルダをケース状本体（１０）内に備えるとともに、カートリッジホルダへのアクセスを許容する開閉ドア（１１）をケース状本体（１０）の表面に備えた採血補助器具であって、
換針カートリッジ（１）は、穿孔針（４）が固定されたカートリッジ本体（３）と、針先を覆う着脱可能なキャップ（２）と、を備えており、
カートリッジホルダは、キャップ（２）を保持してケース状本体（１０）内でスライド可能なキャップホルダ部（５０）と、穿孔針が固定されたカートリッジ本体（３）を保持してケース状本体（１０）内でスライド可能な穿孔針ホルダ部（６０）と、を備えていて、両ホルダ部は、開閉ドア（１１）近傍のアクセス位置において互いに隣接することで、キャップの付いた換針カートリッジ（１）の授受を可能とし、
ケース状本体（１０）には指を挿入する開口が設けられていて、
カートリッジ本体（３）を保持した穿孔針ホルダ部（６０）を上記開口から離れた待機位置に一時的に係止するとともに、発射ボタン（１４）の操作により当該係止を解いて、上記開口に挿入された指先に向って穿孔針（４）の針先を瞬間的に進退させる穿孔機構を備えた、採血補助器具。
【請求項２】
上記ケース状本体（１０）には、調整板（８０）が揺動可能に取り付けられていて、
当該調整板（８０）は、ケース状本体（１０）の外部に露出する操作つまみ（８３）と、カートリッジ本体（３）を保持して指先へ向かって前進する穿孔針ホルダ（６０）と当接することで当該前進の終端位置を規定する壁部（８４）と、を備えていて、
操作つまみ（８３）で調整板（８０）の揺動位置を変えることで、穿孔針ホルダ（６０）と壁部（８４）とが当接する上記終端位置を変え、これにより、穿孔針（４）の指先への穿孔深さを調整することができる、請求項１記載の採血補助器具。
【請求項３】
上記開閉ドア（１１）は、ケース状本体（１０）に対してヒンジ式に開閉するように設けられていて、
ケース状本体（１０）上の開閉ドア（１１）と対向する反対側のケース壁面にイジェクトボタン（１５）が設けられていて、イジェクトボタン（１５）はケース状本体（１０）内部に向かって突出する突起を備え、
キャップ（２）の付いた換針カートリッジ（１）が上記アクセス位置にあるときイジェクトボタンを押圧すると、上記突起が換針カートリッジ（１）を押圧して、開閉ドア（１１）を通して外部に排出する、請求項１記載の採血補助器具。
【請求項４】
指先への穿孔後にケース状本体（１０）内でカートリッジ本体（３）にキャップ（２）を取り付けるときに、キャップ（２）からカートリッジ本体（３）に作用する押圧力を支持して、カートリッジ本体（３）を特定位置に位置決めする係合機構（３１、６８）を備え、
上記特定位置にあるカートリッジ本体（３）に対して、キャップ（２）を装着したとき、カートリッジ本体（３）とキャップ（２）との相対位置が、未使用の換針カートリッジにおけるそれとは異なるように設定し、これにより、換針カートリッジの使用・未使用の区別が明確となるようにした、請求項１記載の採血補助器具。
【請求項５】
請求項１記載の採血補助器具を用いて、患者毎に異なる穿孔針を用いて採血を行なうにあたって、
カートリッジ本体（３）とキャップ（２）との相対位置が、使用後の換針カートリッジと未使用の換針カートリッジとにおいて異なることとなるように設定し、これにより、換針カートリッジの使用・未使用の区別を明確にする方法。
【請求項６】
使用後の換針カートリッジにおいてのみ外部に露出する部分が存在することとなるように、使用後の換針カートリッジと未使用の換針カートリッジとにおいて、カートリッジ本体（３）とキャップ（２）との相対位置を異ならせ、
当該露出する部分に目立つ着色を施して、換針カートリッジの使用・未使用の区別を明確にする、請求項５記載の方法。
【発明の詳細な説明】
【０００１】
【発明の属する技術分野】
本発明は、採血補助器具に関する。
【０００２】
【従来の技術】
例えば、病院内において糖尿病患者が所定の時間隔（例えば、４時間）で血糖値を測定する場合に、採血補助器具が使用される。採血補助器具は、先端部から針先が瞬時に突出して器具内に後退するものであって、これを用いて患者は、自身の指先を僅かに傷付け、そこから絞り出した血液を別の測定機にかけて、血糖値が測定される。
【０００３】
従来の採血補助器具として、細長いペンシル状の本体内にスプリングを介して針２７を進退可能に保持し、ペンシル状本体の先端に設けた小孔から針を瞬間的に突出させるようにしたものが知られている（例えば、特許文献１参照。）。
また、ペンシル状の本体の先端に交換可能な穿刺針カートリッジを備えたものも知られている（例えば、特許文献２参照。）。
【０００４】
【特許文献１】
特開昭５９−１６０４４１号公報（第３頁左下欄、図２および図３）
【特許文献２】
特開２０００−２４５７１７号公報（段落番号「００２６」「００２７」、図１〜図４）
【０００５】
【発明が解決しようとする課題】
上記従来の採血補助器具のいずれにおいても、針交換の際の安全性についての配慮が十分とは言えない。患者毎に別々の針を使用する等の目的で、針を交換する場合、採血補助器具から針を取り外す作業が当然必要となる。この取外作業において、針の先端が作業者の指先等に触れ、それによる感染が生じるおそれがある。
【０００６】
特許文献２に開示された採血補助器具の穿刺針カートリッジにおいては、針を覆うキャップが設けられてはいるものの、針交換時において作業者が意識的にキャップを被せる作業を履行しない限りは、感染の危険性は防ぐことができない。
【０００７】
【課題を解決するための手段・作用・効果】
本発明は、上記従来技術の問題を有効に解決するために創案されたものであり、以下の特徴を備えた採血補助器具を提供するものである。
【０００８】
本発明の採血補助器具は、換針カートリッジを着脱可能に受け入れるカートリッジホルダをケース状本体内に備える。さらに、カートリッジホルダへのアクセスを許容する開閉ドアをケース状本体の表面に備える。
【０００９】
そして、カートリッジホルダは、「キャップを保持してケース状本体内でスライド可能なキャップホルダ部」と「カートリッジ本体を保持してケース状本体内でスライド可能な穿孔針ホルダ部」とを備えていて、両ホルダ部は、開閉ドア近傍のアクセス位置において互いに隣接することで、キャップの付いた換針カートリッジの授受を可能する。
【００１０】
したがって、換針カートリッジは、針先を覆うキャップを取り付けた状態においてのみ、採血補助器具に装着したり、取り外したりすることができる。また、換針カートリッジからキャップを外して針先を露出させるのは、ケース状本体の内部においてのみ行なわれる。針先が指先に穿孔を行なうのもケース状本体内においてのみである。
【００１１】
なお、換針カートリッジとは、針が固定されたカートリッジ本体と、針先を覆う着脱可能なキャップと、を備えた交換カートリッジである。複数のカートリッジを用意することで、患者毎に異なる針を用いて指先への穿孔を行なうことができる。
【００１２】
以上のように、本発明の採血補助器具においては、換針カートリッジの交換作業において、作業者の面前に針が露出することがない。したがって、針先が不用意に作業者の身体に触れるということがなく、したがって、それによる感染を引き起こすこともない。
【００１３】
また、本発明の採血補助器具を用いて、患者毎に異なる穿孔針を用いて採血を行なうにあたって、換針カートリッジの使用・未使用の区別を明確にする方法が提供される。これは、換針カートリッジにおけるカートリッジ本体とキャップとの相対位置が、使用後の換針カートリッジと未使用の換針カートリッジとにおいて異なることとなるように設定することで達成される。
【００１４】
【発明の実施の形態】
本発明の実施形態を添付の図面を参照して以下に詳細に説明する。
【００１５】
換針カートリッジの説明
図１は、換針カートリッジ１を示す斜視図である。換針カートリッジ１は、穿孔針４が固定されたカートリッジ本体３と、この本体に取り付けて針先を覆う着脱可能なキャップ２と、を備える。
【００１６】
この換針カートリッジ１を後述の採血補助器具に装着して、指先への穿孔を行なう。複数のカートリッジを用意することで、患者毎に異なる針を用いて指先への穿孔を行なうことができる。
【００１７】
採血補助器具全体の概要
図２は、本発明に係る採血補助器具の一例を示す斜視図である。図３は、図２の採血補助器具を反対側から見た図である。採血補助器具は、細長いケース状の本体１０から構成されている。
【００１８】
ケース状本体１０の表面に設けた開閉ドア１１は、ヒンジ式のドアであって、図３において紙面手前側に向かって開けることができる。開閉ドア１１を開けることで、ケース状本体１０内に配置されたカートリッジホルダへアクセスすることができる。カートリッジホルダの構成については後述する。換針カートリッジ（図１参照）は、キャップを取り付けた状態においてのみ、開閉ドア１１を通して、カートリッジホルダに装着したり、取り出したりできる。
【００１９】
キャップ操作レバー１２ａ、１２ｂは、ケース状本体１０の側面にスライド可能に設けられている。換針カートリッジを本体内に装着した後、このレバーを矢印ａ方向にスライドさせることで、換針カートリッジからキャップが取り外される。キャップ操作レバー１２ａおよび１２ｂのスライドと連動して、閉止板１６ａおよび１６ｂもスライドし、その結果、穿孔時に指先を挿入するための挿入口１７が開かれる。
【００２０】
穿孔準備レバー１３は、ケース状本体１０の端部に配置されている。このレバー１３を矢印ｂ方向にスライドさせることで、ケース状本体１０内で、キャップが外れて針先が露出した換針カートリッジを待機位置に待機させることができる。その後、開口状態にある挿入口１７に指先を挿入した状態で発射ボタン１４を押圧すると、指先に向ってカートリッジホルダ本体の針先が瞬間的に進退し、これにより指先への穿孔が行なわれる。患者は、指先を挿入口１７から抜き、指先に滲み出た血液を別の測定装置にかけて、血糖値を測定する。
【００２１】
穿孔後、カートリッジ本体３は元の位置に復帰する。換針カートリッジを交換する際には、キャップ操作レバー１２ａ、１２ｂを操作して、キャップ２をカートリッジ本体３に取り付ける。次に、イジェクトボタン１５を押圧すると、開閉ドア１１が開いて、キャップが付いた状態の換針カートリッジが本体１０内から出てくる。
【００２２】
このように、換針カートリッジは、針先を覆うキャップを取り付けた状態においてのみ、採血補助器具に装着したり、取り出したりすることができる。また、換針カートリッジからキャップが外れて針先が露出するのは、ケース状本体１０の内部においてのみであって、針先が指先に穿孔を行なうのもケース状本体１０内においてのみである。したがって、カートリッジの交換時に針先が不用意に作業者の身体に触れるということがなく、それによる感染を引き起こすこともない。
【００２３】
採血補助器具の内部機構
次に、採血補助器具の内部機構を詳細に説明する。
【００２４】
１．カートリッジホルダ
カートリッジホルダは、採血補助器具のケース状本体１０の内部に収容されていて、ケース状本体１０内をスライドする２つのホルダ部分（すなわち、キャップホルダ５０と穿孔針ホルダ６０）によって構成される。図４を参照して、これを説明する。
図４（ａ）は、ケース状本体の要部透視図である。図４（ｂ）および図４（ｃ）は、ケース状本体内にスライド可能に配置されたキャップホルダ５０および穿孔針ホルダ６０を取り出して示したものである。
【００２５】
（キャップホルダ５０）
キャップホルダ５０のプレート部分１６ａには突起５１が形成されていて、この突起５１は、ケース状本体１０に形成したスリット１９ａから外部に突出し、そこにキャップ操作レバー１２ａが固定される。なお、キャップホルダ５０は、反対側にも同様のプレート部分１６ｂを備えていて、そこに形成された突起が反対側のスリット１９ｂから外部に突出し、そこにキャップ操作レバー１２ｂが固定される。
すなわち、使用者は、ケース状本体１０の表面に露出したキャップ操作レバー１２ａ、１２ｂを操作することで、ケース状本体１０内のキャップホルダ５０をスライドさせることができる。
なお、プレート部分１６ａおよび１６ｂは、図２および図３に示した閉止板を構成する。すなわち、ケース状本体１０の表面には穿孔時に指を挿入する挿入口１７が設けられているが、図２および図３の状態においては、プレート部分１６ａおよび１６ｂが当該挿入口１７を閉止している。キャップ操作レバー１２ａ、１２ｂをスライドさせると、それと連動して閉止板（プレート部分）１６ａ、１６ｂもスライドし、その結果、穿孔時に指を挿入する挿入口が開かれる。
【００２６】
（穿孔針ホルダ６０）
また、穿孔針ホルダ６０は、後述するように、穿孔準備レバー１３（図２参照）に連結されていて、使用者は、ケース状本体１０の表面に露出した穿孔準備レバー１３を操作することで、ケース状本体１０内の穿孔針ホルダ６０を図４（ｂ）のアクセス位置から図４（ｃ）の待機位置までスライドさせることができる。
【００２７】
（アクセス位置）
キャップホルダ５０および穿孔針ホルダ６０は、それぞれ、図４（ｂ）に示したアクセス位置と図４（ｃ）に示した位置との間で直線的にスライドすることができる。後述するように、アクセス位置においてのみ、開閉ドア１１を通して、換針カートリッジは、カートリッジ本体３とキャップ２とを装着した状態で、採血補助器具のケース状本体１０に装着したり、取り出したりすることができる。換言すると、使用者は、キャップホルダ５０および穿孔針ホルダ６０がアクセス位置にあるときのみ、開閉ドア１１を通して、両者によって構成されるカートリッジホルダにアクセスすることができる。
図４（ｂ）のアクセス位置においては、キャップホルダ５０および穿孔針ホルダ６０は最も接近し、互いのホールド部分５２および６２を隣接させる。このとき、隣接状態にある両ホールド部分５２、６２は開閉ドア１１の近傍に位置する。したがって、この場合にのみ、換針カートリッジ１は、カートリッジ本体３にキャップ２を取り付けた状態で、隣接したホールド部分５２および６２に装着可能となる。逆に、ケース状本体１０内へのアクセス経路は、開閉ドア１１だけであるので、キャップホルダ５０または穿孔針ホルダ６０がアクセス位置からずれた位置にあると、換針カートリッジは、ケース状本体１０に装着したり、取り外したりすることができない。
【００２８】
（効果）
以上のような機構によって、換針カートリッジ１は、キャップを取り付けた状態においてのみ、採血補助器具のケース状本体１０に対して装着および取外しが可能となる。したがって、換針カートリッジの交換作業の際に、作業者の面前に針先が露出することが確実に防止され、これにより、感染等を未然に防ぐことが可能となる。
【００２９】
２．穿孔を行なうための機構（穿孔機構）
（不図示の前進用スプリング）
ケース状本体１０の内面からは、内部に向かって突出する突起２１が設けられている（図４（ａ）参照）。穿孔針ホルダ６０は、突起２１との間に不図示の前進用スプリングを挟み込んだ状態で、ケース状本体１０内に配置されている。すなわち、穿孔針ホルダ６０は、ケース状本体１０内でスライド移動可能ではあるが、前進用スプリングによってアクセス位置（図４（ｂ）の位置）に向けて付勢されている。
【００３０】
（退避用スプリング６９を介した穿孔針ホルダとスライド基台との連結）
一方、穿孔針ホルダ６０は、スライド基台７０を介して、穿孔準備レバー１３（図２参照）に連結されている。スライド基台７０は、ケース状本体１０内で、ガイド壁２２（図４（ａ）参照）に案内されてスライドする。
図５に示したように、穿孔針ホルダ６０の一端には延在部６５が設けられており、延在部６５の図中右側先端には、紙面向こう側に向かって屈曲するフック部（不図示）が形成されている。このフック部（不図示）をスライド基台７０の凹部７１に係合させることで、穿孔針ホルダ６０とスライド基台７０とが連結される。
図６は、連結後における穿孔針ホルダ６０およびスライド基台７０を示している。穿孔針ホルダ６０とスライド基台７０とは、退避用スプリング６９によって、互いに引き合う方向に付勢されている。退避用スプリング６９は、その一端が穿孔針ホルダ６０に設けた係合部６４に固定され、他端がスライド基台７０に設けた係合部７４に固定されている。後述するように、この退避用スプリング６９の付勢力によって、穿孔針４は、指先に刺さった後、瞬時に後退することができる。
【００３１】
（穿孔準備レバーを構成するカバープレート１３）
退避用スプリング６９の一端が固定されたスライド基台７０の係合部７４には、その上側からカバープレート１３が固定される（図７参照）。カバープレート１３は、採血補助器具のケース状本体１０の表面に露出し、図２に示した穿孔準備レバー１３を構成する。
【００３２】
３．穿孔手順
（換針カートリッジ１の装着　〜　キャップ２の取外し）
キャップホルダ５０および穿孔針ホルダ６０をアクセス位置において隣接させる。この状態で、開閉ドア１１を開けて、キャップ２を取り付けた状態の換針カートリッジ１をケース状本体１０内に装着する。このとき、換針カートリッジ１のキャップ２は、キャップホルダ５０のホールド部５２に保持され、換針カートリッジ本体３は、穿孔針ホルダ６０のホールド部６２に保持される。
開閉ドア１１を閉じた後、キャップ操作レバー１２ａ、１２ｂをスライドさせて、ケース状本体１０内に保持された換針カートリッジ１からキャップ２を外す。キャップ操作レバー１２ａ、１２ｂのスライドと連動して、開閉板１６ａ、１６ｂもスライドし、指を挿入する挿入口１７が現れる。
【００３３】
（穿孔準備レバー１３の操作による、穿孔針ホルダ６０の待機位置への移動）
穿孔針ホルダ６０は、アクセス位置へと向けて付勢されているが、穿孔準備レバー１３を右側にスライドさせると、穿孔針ホルダ６０はスライド基台７０にフック係合しているので、前進用スプリング（不図示）の付勢力に抗して、穿孔針ホルダ６０を図４（ｃ）の待機位置にまで移動させることができる。
ケース状本体１０の内部には、係合孔２４ａを有する壁部２４が立設されていて、穿孔針ホルダ６０が待機位置にまでくると、穿孔針ホルダ６０のアーム６６の側面に形成した突部６６ａが係合孔２４と係合する。この状態では、穿孔準備レバー１３から手を離しても、アームの突部６６ａが係合孔２４ａに係合しているので、穿孔針ホルダ６０は、前進用スプリング（不図示）の付勢力に抗して、待機位置に保持される。
【００３４】
（発射ボタン１４の押圧による穿孔）
穿孔針ホルダ６０を図４（ｃ）の待機位置に保持した状態で、挿入口１７に指を挿入する。そして発射ボタン１４を押圧すると、アームの突部６６ａと係合孔２４ａとの係合が解かれ、換針カートリッジ本体を保持した穿孔針ホルダ６０が、前進用スプリング（不図示）の付勢力によって指先に向かって前進する。すなわち、穿孔針４が指先に向けて発射され、瞬間的に指先に穿孔を行なった後、今度は、退避用スプリング６９の付勢力によって後退する。このときの指先に対する穿孔深さは、後述する穿孔深さ調節機構によって調節することができる。
【００３５】
（換針カートリッジの取出し）
穿孔が終了した後、キャップ操作レバー１２ａ、１２ｂを操作して、換針カートリッジの本体３にキャップ２を固定する。採血補助器具のケース状本体１０の側面から突出するイジェクタボタン１５（図２参照）を押圧すると、イジェクタボタン１５からケース状本体１０内へと延びる不図示の突起が、換針カートリッジ１を押圧し、これにより、キャップが付いた状態の換針カートリッジ１が開閉ドア１１を押し開けて外部に排出される。
これを可能とするため、イジェクトボタン１５は、ケース状本体１０上の開閉ドア１１と対向する反対側のケース壁面に設けられている。また、開閉ドア１１は、ヒンジ式でなくてもよく、スライド式、その他適宜の構成を採用できるが、イジェクトボタン１５により押圧された換針カートリッジ１自身が開閉ドア１１を押し開けて排出されるようにするためには、ヒンジ式の開閉ドア１１が好ましい。
【００３６】
４．穿孔深さ調節機構
（調整板８０の構成）
穿孔針４を指先に突き刺す際の深さは、図８に要部を示した深さ調節機構によって調節することができる。この機構は、扇形の調整板８０で構成される。調整板８０は、軸８１を中心として揺動可能であって、図８中紙面向こう側へと突出する操作つまみ８３を備える。操作つまみ８３は、図３に示しているように、ガイド孔１８を通して、採血補助器具のケース状本体１０の表面に突出する。
調整板８０は、操作つまみ８３が設けられた面とは反対側の面に、湾曲壁８４を有している。湾曲壁８４は、採血補助器具のケース状本体１０の内側へ向かって、一定高さをもって立設されている。図８から分かるように、湾曲壁８４は、調整板８０の回転軸８１を中心とした円弧Ａを、斜めに横切るようにして形成されている。
【００３７】
（調整板８０の機能）
発射ボタン１４が押圧された後、指先に向かって前進する穿孔針ホルダ６０は、その一部が湾曲壁８４に当接することで、前進移動が阻止され、その後、退避用スプリング６９（図６参照）の付勢力によって反対方向へ後退する。すなわち、この当接が生じる位置は、カートリッジ本体３を保持して指先へ向かって前進する穿孔針ホルダ６０の当該前進の終端位置を規定する。この当接は、図８中に想像線Ｌで示した線上で行なわれるように設定されている。
使用者は、ガイド孔１８（図３参照）に沿って操作つまみ８３を操作して、調整板８０を回転軸８１回りに回動させることで、想像線Ｌ上で生じる上記当接位置（終端位置）を変更することができる。すなわち、図８は、調整板８０が中央位置にある状態を示しているが、調整板８０が揺動して湾曲壁の端部８４ａが想像線Ｌ上にくると、当接位置（終端位置）は図８中左側（指先に近い側）となり、穿孔深さは最も深く調節される。
逆に、湾曲壁の反対側の端部８４ｂが想像線Ｌ上にくると、当接位置（終端位置）は図８中右側（指先から遠い側）となり、穿孔深さは最も浅く調節される。操作つまみ８３によって調整板８０の揺動位置を換えることで、適宜、穿孔深さを調節することができる。
【００３８】
なお、上記の機能が達成される限り、調節板は扇形である必要は無く、円形等、適宜の形態を採用することができ、同様に、湾曲壁８４に換えて直線状に延在する壁部を採用してもよい。
【００３９】
５．換針カートリッジの使用・未使用を区別するための機構
（概要）
未使用の換針カートリッジ１のキャップ２は、その端部２ａが換針カートリッジ４の周面に設けたフランジ部５にぴったりと接して閉じられている。本発明においては、使用後に採血補助器具のケース状本体１０から取り出した換針カートリッジと、未使用の換針カートリッジと、の区別が容易になるような工夫をしている。
すなわち、穿孔後に、キャップ操作レバー１２ａ、１２ｂを操作してキャップ２をアクセス位置にまで戻すときに、当該キャップ２を受ける換針カートリッジ本体３が“特定位置”に固定されるようにする。この“特定位置”に固定された換針カートリッジ本体３に対して、キャップ操作レバー１２ａ、１２ｂを図２中最も右側まで押し込んで、キャップ２を最後まで閉じたとき、キャップ２の端部２ａとフランジ部５との間に所定の隙間が残るように、上記“特定位置”を設定する。そのための機構を、図９を参照して説明する。
【００４０】
（弾性アームの突部と“特定位置”）
ケース状本体１０の内部には、弾性アーム３０が固定されている（図４（ａ）参照）。この弾性アーム３０には、側方に向かって突出する突部３１が設けられている。穿孔後に、キャップ操作レバー１２ａ、１２ｂを操作して、キャップ２を換針カートリッジ本体３に取り付けるとき、その際の押圧力で穿孔針ホルダ６０は、図９中右側へと押圧される。しかし、そのとき、アーム３０に設けた突部３１が、穿孔針ホルダ６０の側面に設けた係合凹部６８と係合し、穿孔針ホルダ６０がそれ以上、図中右側へと移動しないように“特定位置”に固定する。この“特定位置”は、各部材の寸法設計により適宜設定することができる。
【００４１】
（効果）
以上のようにすることで、未使用の換針カートリッジにおいては、キャップ端部２ａとフランジ部５との間に隙間がなく、使用後の換針カートリッジにおいては隙間が存在することとなる。これによって、両者を明瞭に区別することが可能となる。また、隙間が生じたときに露出する換針カートリッジ周面を目立つ色に着色しておけば、その区別がさらに明瞭となる。
【００４２】
（楔状突起７５ａの構成）
なお、穿孔前に、アクセス位置にある穿孔針ホルダ６０を待機位置へ向けて引っ張る際には、アーム３０の突部３１が係合凹部６８と係合するのを防止する必要がある。これは、スライド基台７０に設けた楔状突起７５ａを利用して行なう。図５に示したように、スライド基台７０の一端から直線状に延びるアーム７５の先端には、楔状突起７５ａが形成されている。この楔状突起７５ａは、アーム７５の表面から紙面手前側に向かって突出している。
【００４３】
（楔状突起７５ａの機能）
穿孔針ホルダ６０を待機位置へと移動させるべく、穿孔準備レバー１３を操作するとき、基台７０も穿孔針ホルダ６０と一体となって図９中右側へとスライドする。このとき、基台７０に形成した楔状突起７５ａが弾性アーム３０と当接し、弾性アーム３０を穿孔針ホルダ６０から遠ざかる方向へと撓ませる。この状態で、穿孔針ホルダ６０側面の係合凹部６８が突部３１の側方を通り抜けるので、突部３１が係合凹部６８と係合することはなく、穿孔針ホルダ６０は待機位置にまでスライドすることが可能となる。
【図面の簡単な説明】
【図１】本発明の採血補助器具に使用される換針カートリッジを説明する図である。
【図２】本発明の一実施形態に係る採血補助器具を示す斜視図である。
【図３】図２の採血補助器具を反対側から見た図である。
【図４】カートリッジホルダの機構を説明する図である。
【図５】穿孔針ホルダとスライド基台を、連結前の状態で示す図である。
【図６】穿孔針ホルダとスライド基台を、連結後の状態で示す図である。
【図７】図６の状態から、スライド基台にカバープレートを取り付けた状態を示す図である。
【図８】穿孔深さを調節するための機構を説明する図である。
【図９】換針カートリッジの使用前後の区別を明瞭ならしめるための機構を説明する図である。
【符号の説明】
１　換針カートリッジ
２　キャップ
３　カートリッジ本体
４　穿孔針
５　フランジ部
１０　ケース状本体
１１　開閉ドア
１２ａ、１２ｂ　キャップ操作レバー
１３　穿孔準備レバー（カバープレート）
１４　発射ボタン
１５　イジェクトボタン
１６ａ、１６ｂ　閉止板（プレート部分）
１７　挿入口
１８　ガイド孔
１９ａ、１９ｂ　スリット
２１　突起
２２　ガイド壁
２４　壁部
２４ａ　係合孔
３０　弾性アーム
３１　突部
５０　キャップホルダ
５１　突起
５２　ホールド部
６０　穿孔針ホルダ
６２　ホールド部
６４　係合部
６５　延在部
６６　弾性アーム
６６ａ　突部
６８　係合凹部
６９　退避用スプリング
７０　スライド基台
７１　凹部
７４　係合部
７５　アーム
７５ａ　楔状突起
８０　調整板
８１　回転軸
８３　操作つまみ
８４　湾曲壁
【図１】
2004141389.tif 000003
【図２】
2004141389.tif 000004
【図３】
2004141389.tif 000005
【図４】
2004141389.tif 000006
【図５】
2004141389.tif 000007
【図６】
2004141389.tif 000008
【図７】
2004141389.tif 000009
【図８】
2004141389.tif 000010
【図９】
2004141389.tif 000011